(57)【要約】【課題】２軸ヒンジを備える折り畳み式電子機器において、回転操作感に必要なトルクに加えクリック感が得られるようにするとともに、回転軸の径を小さくして筐体を薄型化する。【解決手段】表示部（１ａ）を有する第１の筐体１と操作部（２ａ）を有する第２の筐体２とを互いに開閉動作させる際に中心となる開閉軸４・５と、第１の筐体１と第２の筐体２を開いた状態で第１の筐体１を第２の筐体２に対し回転動作させる際に中心となる回転軸６とを備える折り畳み式電子機器であって、回転軸６の外周に平面６ａを形成するとともに、回転軸６の外周の一半部側を軸受支持する軸受ホルダー１９と、回転軸６の外周の他半部側に当接し、かつ、平面６ａに面接触可能な板ばね２２と、を備える。軸受ホルダー１９は、開閉軸４・５を覆うヒンジカバー１３・１４内に固定されていて、板ばね２２は、回転軸６とヒンジカバー１４との間に配置されている。【選択図】図５
2009030733.tif 000002
【特許請求の範囲】
【請求項１】
表示部を有する第１の筐体と操作部を有する第２の筐体とを互いに開閉動作させる際に中心となる開閉軸と、第１の筐体と第２の筐体を開いた状態で第１の筐体を第２の筐体に対し回転動作させる際に中心となる回転軸とを備える折り畳み式電子機器であって、
前記回転軸の外周に平面を形成するとともに、
前記回転軸の外周の一半部側を軸受支持する軸受ホルダーと、
前記回転軸の外周の他半部側に当接し、かつ、前記平面に面接触可能な板ばねと、を備えることを特徴とする折り畳み式電子機器。
【請求項２】
前記回転軸は中空部を有し、この中空部内に、前記第１の筐体内の電子部品と前記第２の筐体内の電子部品とを電気的接続する同軸ケーブルが挿入されていることを特徴とする請求項１に記載の折り畳み式電子機器。
【請求項３】
前記軸受ホルダーは、前記開閉軸を覆うヒンジカバー内に固定されていて、前記板ばねは、前記回転軸と前記ヒンジカバーとの間に配置されていることを特徴とする請求項１または２に記載の折り畳み式電子機器。
【請求項４】
前記回転軸の外周には、前記平面が複数形成されていることを特徴とする請求項１から３のいずれか一項に記載の折り畳み式電子機器。
【発明の詳細な説明】
【技術分野】
【０００１】
本発明は、表示部を有する第１の筐体と操作部を有する第２の筐体とを、表示部を表にしても裏にしても折り畳めるように２軸ヒンジを介して連結した折り畳み式電子機器に関する。
【背景技術】
【０００２】
折り畳み式の電子機器、特に携帯電話機において、表示部を表にしても裏にしても折り畳めるようにした２軸ヒンジ構造のものがある（例えば特許文献１、２参照）。
その２軸ヒンジ構造は、表示部を有する第１の筐体と操作部を有する第２の筐体とを開閉する際に中心となる開閉軸と、第１の筐体と第２の筐体を開いた状態で第１の筐体を第２の筐体に対し回転する際に中心となる回転軸とを備える。
【特許文献１】特開２００５−３０３６８８号公報
【特許文献２】特開２００６−１００２５号公報
【発明の開示】
【発明が解決しようとする課題】
【０００３】
このような２軸ヒンジを備える折り畳み式携帯電話機は、第１の筐体と第２の筐体を開いた状態で第１の筐体を第２の筐体に対し回転させる回転軸及びその軸受ホルダー間において、通常は回転軸の操作感に必要なトルクを発生させるためカム機構などを設けており 、回転軸の径が大きくなってしまい、その分、筐体が厚くなってしまう。
【０００４】
本発明の課題は、２軸ヒンジを備える折り畳み式電子機器において、回転操作感に必要なトルクに加えクリック感が得られるようにするとともに、回転軸の径を小さくして筐体を薄型化することである。
【課題を解決するための手段】
【０００５】
以上の課題を解決するため、請求項１に記載の発明は、表示部を有する第１の筐体と操作部を有する第２の筐体とを互いに開閉動作させる際に中心となる開閉軸と、第１の筐体と第２の筐体を開いた状態で第１の筐体を第２の筐体に対し回転動作させる際に中心となる回転軸とを備える折り畳み式電子機器であって、前記回転軸の外周に平面を形成するとともに、前記回転軸の外周の一半部側を軸受支持する軸受ホルダーと、前記回転軸の外周の他半部側に当接し、かつ、前記平面に面接触可能な板ばねと、を備えることを特徴とする。
【０００６】
請求項２に記載の発明は、請求項１に記載の折り畳み式電子機器であって、前記回転軸は中空部を有し、この中空部内に、前記第１の筐体内の電子部品と前記第２の筐体内の電子部品とを電気的接続する同軸ケーブルが挿入されていることを特徴とする。
【０００７】
請求項３に記載の発明は、請求項１または２に記載の折り畳み式電子機器であって、前記軸受ホルダーは、前記開閉軸を覆うヒンジカバー内に固定されていて、前記板ばねは、前記回転軸と前記ヒンジカバーとの間に配置されていることを特徴とする。
【０００８】
請求項４に記載の発明は、請求項１から３のいずれか一項に記載の折り畳み式電子機器であって、前記回転軸の外周には、前記平面が複数形成されていることを特徴とする。
【発明の効果】
【０００９】
本発明によれば、２軸ヒンジを備える折り畳み式電子機器において、回転操作感に必要なトルクに加えクリック感が得られるようにしながら、回転軸の径を小さくして筐体を薄型化できる。
【発明を実施するための最良の形態】
【００１０】
以下、図を参照して本発明を実施するための最良の形態を詳細に説明する。
図１は本発明を適用した折り畳み式電子機器の一実施形態の構成として携帯電話機を示すもので、１は第１の筐体、２は第２の筐体、３は２軸ヒンジユニットである。
【００１１】
第１の筐体１は表示画面による表示部１ａを有する表示部筐体であり、第２の筐体２は各種操作キーによる操作部２ａを有する操作部筐体であり、これら第１の筐体１及び第２の筐体２は２軸ヒンジユニット３を介して開閉（折り畳み）可能に結合されている。そして、２軸ヒンジユニット３は、第１の筐体１と第２の筐体２を開いた状態において、第１の筐体１を第２の筐体２に対し回転可能となっている。
【００１２】
すなわち、図１（ａ）は、第１の筐体１と第２の筐体２を、２軸ヒンジユニット３の開閉軸４・５（図２、図４参照）を中心に互いに閉動作させて折り畳んだ状態を示している。図１（ｂ）は、第１の筐体１と第２の筐体２を、同じく開閉軸４・５を中心に開いた状態を示している。図１（ｃ）は、同じく第１の筐体１と第２の筐体２を開いた状態において、第１の筐体１を第２の筐体２に対し回転軸６（図２、図３参照）を中心に回転させた状態を示している。
【００１３】
図２は２軸ヒンジユニット３の構成部品を分解して示したもので、同一軸線上に位置する左右２個の開閉軸４・５のうち一方の開閉軸５として薄肉筒状部材が用いられ、この薄肉筒状部材による開閉軸５内の中空部には、細線同軸ケーブル７が挿入されている。この細線同軸ケーブル７は、第１の筐体１内の電子部品と第２の筐体２内の電子部品とを電気的接続するもので、両端部にコネクタ８・９が備えられている。例えば、その一方のコネクタ８は、第１の筐体１内の基板１１（図３参照）に接続され、他方のコネクタ９は、第２の筐体２内の基板１２（図５参照）に接続される。
【００１４】
左右２個の開閉軸４・５は、ネジ止めにより合体される上ヒンジカバー１３及び下ヒンジカバー１４の左右に軸受支持されるとともに、第２の筐体２の端部に形成した左右のボス部１５に軸受支持されている。
【００１５】
回転軸６は、同一軸線上の開閉軸４・５と軸線を直交方向に向けて配置されるもので、一対の同軸ケーブル保持部材１６により形成される。この一対の同軸ケーブル保持部材１６は、半筒状部内に細線同軸ケーブル７を挿入して、図３に示すように、ネジ止めにより合体されるとともに、第１の筐体１の中ケース１７にネジ止めにより固定されるもので、その鍔付き筒状部により回転軸６が形成されている。図中、１８は第１の筐体１の表示部１ａと反対側の表ケースである。
【００１６】
以上の回転軸６の外周には、図５に示した例では、直径方向に対向して平行する平面６ａが形成されている。
【００１７】
そして、回転軸６の外周の一半部側を軸受支持する軸受ホルダー１９が、下ヒンジカバー１４内にネジ止めにより固定される。すなわち、図５に示すように、回転軸６の軸受ホルダー１９が、下ヒンジカバー１４内に形成した左右一対のボス部２１上にネジ止めにより固定されている。
【００１８】
さらに、左右のボス部２１の間には、軸受ホルダー１９により保持される回転軸６の外周の他半部側に当接し、かつ、平面６ａに面接触可能なトルク発生用の板ばね２２が配置される。すなわち、板ばね２２は、下ヒンジカバー１４内に形成した左右のリブ２３と、軸受ホルダー１９に形成した左右のリブ２４との間に挟み込んで配置されている。
【００１９】
以上、実施形態の２軸ヒンジユニット３によれば、第１の及び第２の筐体１・２を開閉動作させる際に中心となる中心となる開閉軸４・５と、操作部２ａを有する第２の筐体２に対し開いた状態において、表示部１ａを有する第１の筐体１を回転動作させる際に中心となる回転軸６とが相互に独立した構造のため、従来の全一体の２軸ヒンジユニットと比較して、動作不良時や組み付けズレの際の原因を明確化できる。すなわち、開閉軸４・５と回転軸６は互いに依存しておらず、傾きや曲がりに対して容易に調整が可能である。
【００２０】
そして、操作部２ａを有する第２の筐体２に対し開いた状態において、表示部１ａを有する第１の筐体１を回転動作させる際には、例えば図５（ｂ）に示したように、回転軸６の平面６ａに板ばね２２が面接触した状態から、軸受ホルダー１９に対し回転軸６が回転し始める。これにより、図６（ｂ）に示したように、回転軸６の外周面が板ばね２２を押し曲げることで、板ばね２２の曲げ剛性に基づいて回転操作感に必要なトルクが発生する。
その後、回転角度が１８０度に達すると、回転軸６の反対側の平面６ａが板ばね２２に面接触した状態となって、クリック感が得られる。従って、回転操作感が良好となる。
【００２１】
以上のとおり、板ばね２２の曲げ剛性に基づいて回転操作感に必要なトルク調整が行えるので、回転軸６の径を小さくすることができる。従って、第１の筐体１の薄型化を達成できるものとなる。
【００２２】
なお、以上の実施形態においては、携帯電話機としたが、本発明はこれに限定されるものではなく、電卓、電子手帳、カメラ、ノートパソコン、ＰＤＡなど他の折り畳み式電子機器であっても良い。
また、実施形態では、第１の筐体と第２の筐体が上下に開くものとしたが、これに限らず、左右に開く構成のものでも良い。
さらに、回転軸のクリック角度、筐体のデザイン等も任意であり、その他、具体的な細部構造等についても適宜に変更可能であることは勿論である。
【図面の簡単な説明】
【００２３】
【図１】本発明を適用した折り畳み式電子機器の一実施形態の構成を示すもので、携帯電話機の折り畳み状態の斜視図（ａ）と、開いた状態の斜視図（ｂ）と、さらに表示部筐体を回転させた状態の斜視図（ｃ）である。
【図２】図１の２軸ヒンジユニットの構成部品を分解して示した拡大斜視図である。
【図３】折り畳み状態で表示部筐体の外ケースを外して２軸ヒンジユニットの組み付け方を示す分解斜視図（ａ）と、２軸ヒンジユニットを組み付けて外ケースを取り付ける状態を示す斜視図（ｂ）である。
【図４】ヒンジケース部分での断面図である。
【図５】折り畳み状態の平面図（ａ）と、その矢印Ｂ−Ｂ線に沿った断面図（ｂ）である。
【図６】表示部筐体を回転させた状態の側面図（ａ）と、その矢印Ｂ−Ｂ線に沿った断面図（ｂ）である。
【符号の説明】
【００２４】
１  第１の筐体
１ａ  表示部
２  第２の筐体
２ａ  操作部
３  ２軸ヒンジユニット
４  開閉軸
５  開閉軸
６  回転軸
６ａ  平面
７  同軸ケーブル
８  コネクタ
９  コネクタ
１１  基板
１２  基板
１３  ヒンジカバー
１４  ヒンジカバー
１５  ボス部
１６  同軸ケーブル保持部材
１７  中ケース
１８  表ケース
１９  軸受ホルダー
２１  ボス部
２２  板ばね
２３  リブ
２４  リブ
【図１】
2009030733.tif 000003
【図２】
2009030733.tif 000004
【図３】
2009030733.tif 000005
【図４】
2009030733.tif 000006
【図５】
2009030733.tif 000007
【図６】
2009030733.tif 000008